(57)【要約】【課題】無駄な電力消費や発熱を防止することができるカメラを提供する。【解決手段】プロジェクタユニット２０の投影中に、投影レンズ１０３の正面が塞がれているか否かを撮影レンズ１０１を介して被写体像を取得する撮像素子の出力に基づいて判定し、投影レンズ１０３の正面が塞がれていると判定されたとき、プロジェクタユニット２０の光源２１を消灯する制御回路３０を採用した。【選択図】図１
2010161518.tif 000002
【特許請求の範囲】
【請求項１】
撮影レンズを介して被写体像を取得する撮像手段と、
投影レンズと投影用の光源とを有するプロジェクタと、
前記プロジェクタによる投影中に、前記投影レンズの正面が塞がれているか否かを判定する判定手段と、
前記判定手段によって前記投影レンズの正面が塞がれていると判定されたとき、前記光源を消灯させる消灯制御手段と
を備えていることを特徴とするカメラ。
【請求項２】
前記判定手段は、前記撮像手段の出力に基づいて前記投影レンズの正面が塞がれた否かを判定することを特徴とする請求項１記載のカメラ。
【請求項３】
前記撮像手段の出力は前記被写体像の明度又はコントラストに応じた情報であることを特徴とする請求項２記載のカメラ。
【請求項４】
前記撮像手段の出力は前記撮影レンズと前記投影レンズとの視差情報であることを特徴とする請求項２記載のカメラ。
【請求項５】
前記判定手段は、前記撮影レンズと前記被写体との距離を検出するオートフォーカス手段の検出結果に基づいて前記投影レンズの正面が塞がれているか否かを判定することを特徴とする請求項１記載のカメラ。
【請求項６】
前記撮影レンズの光軸と前記投影レンズの光軸とはほぼ平行であることを特徴とする請求項１〜５のいずれか１項記載のカメラ。
【請求項７】
音及び光の少なくとも一方を出力する警告手段を備えていることを特徴とする請求項１〜６のいずれか１項記載のカメラ。
【請求項８】
前記消灯制御手段は、前記光源を消灯させる前、消灯させる時又は消灯させた後に前記警告手段を駆動することを特徴とする請求項７記載のカメラ。
【請求項９】
前記消灯制御手段は、前記光源を消灯させた後、前記プロジェクタの電源及びカメラ本体の電源から電力の供給を停止することを特徴とする請求項１〜８のいずれか１項記載のカメラ。
【請求項１０】
前記消灯制御手段は、前記警告手段を駆動した後、前記プロジェクタの電源及びカメラ本体の電源から電力の供給を停止することを特徴とする請求項７又は８記載のカメラ。
【請求項１１】
前記消灯制御手段は、前記電源から電力の供給が停止したとき、前記警告手段を駆動することを特徴とする請求項９又は１０記載のカメラ。
【発明の詳細な説明】
【技術分野】
【０００１】
この発明はカメラに関する。
【背景技術】
【０００２】
従来、カメラ等から映像信号が出力されていない場合、投影用のランプを自動的に消灯する投射型表示装置が知られている（下記公報参照）。
【先行技術文献】
【特許文献】
【０００３】
【特許文献１】特開２００１−１３３８８０号公報
【発明の概要】
【発明が解決しようとする課題】
【０００４】
電源スイッチを切り忘れた状態で投射型表示装置をケースやかばんに収納したり、外部から加わった力によって、ケースやかばんに収納されている投射型表示装置の電源スイッチが入ってしまったりした場合、ユーザの知らない間に電池の放電が進み、無駄な電力の消費や発熱を招くという問題がある。
【０００５】
この発明はこのような事情に鑑みてなされたもので、その課題は無駄な電力消費や発熱を防止することができるカメラを提供することである。
【課題を解決するための手段】
【０００６】
上記課題を解決するため請求項１記載の発明は、撮影レンズを介して被写体像を取得する撮像手段と、投影レンズと投影用の光源とを有するプロジェクタと、前記プロジェクタによる投影中に、前記投影レンズの正面が塞がれているか否かを判定する判定手段と、前記判定手段によって前記投影レンズの正面が塞がれていると判定されたとき、前記光源を消灯させる消灯制御手段とを備えていることを特徴とする。
【０００７】
請求項２に記載の発明は、請求項１記載のカメラにおいて、前記判定手段は、前記撮像手段の出力に基づいて前記投影レンズの正面が塞がれた否かを判定することを特徴とする。
【０００８】
請求項３に記載の発明は、請求項２記載のカメラにおいて、前記撮像手段の出力は前記被写体像の明度又はコントラストに応じた情報であることを特徴とする。
【０００９】
請求項４に記載の発明は、請求項２記載のカメラにおいて、前記撮像手段の出力は前記撮影レンズと前記投影レンズとの視差情報であることを特徴とする。
【００１０】
請求項５に記載の発明は、請求項１記載のカメラにおいて、前記判定手段は、前記撮影レンズと前記被写体との距離を検出するオートフォーカス手段の検出結果に基づいて前記投影レンズの正面が塞がれているか否かを判定することを特徴とする。
【００１１】
請求項６に記載の発明は、請求項１〜５のいずれか１項記載のカメラにおいて、前記撮影レンズの光軸と前記投影レンズの光軸とはほぼ平行であることを特徴とする。
【００１２】
請求項７に記載の発明は、請求項１〜６のいずれか１項記載のカメラにおいて、音及び光の少なくとも一方を出力する警告手段を備えていることを特徴とする。
【００１３】
請求項８に記載の発明は、請求項７記載のカメラにおいて、前記消灯制御手段は、前記光源を消灯させる前、消灯させる時又は消灯させた後に前記警告手段を駆動することを特徴とする。
【００１４】
請求項９に記載の発明は、請求項１〜８のいずれか１項記載のカメラにおいて、前記消灯制御手段は、前記光源を消灯させた後、前記プロジェクタの電源及びカメラ本体の電源から電力の供給を停止することを特徴とする。
【００１５】
請求項１０に記載の発明は、請求項７又は８記載のカメラにおいて、前記消灯制御手段は、前記警告手段を駆動した後、前記プロジェクタの電源及びカメラ本体の電源から電力の供給を停止することを特徴とする。
【００１６】
請求項１１に記載の発明は、請求項９又は１０記載のカメラにおいて、前記消灯制御手段は、前記電源から電力の供給が停止したとき、前記警告手段を駆動することを特徴とする。
【発明の効果】
【００１７】
この発明によれば、無駄な電力消費や発熱を防止することができる。
【図面の簡単な説明】
【００１８】
【図１】図１はこの発明の第１実施形態に係るカメラの斜視図である。
【図２】図２は光源点等時の電源をオフにするときのシーケンスを説明するフローチャートである。
【図３】図３はこの発明の第２実施形態に係るカメラの動作を説明するフローチャートである。
【図４】図４はこの発明の第３実施形態に係るカメラの動作を説明するフローチャートである。
【図５】図５は視差と投影距離との関係を示す図である。
【発明を実施するための形態】
【００１９】
以下、この発明の実施の形態を図面に基づいて説明する。
【００２０】
図１はこの発明の第１実施形態に係るカメラ１の斜視図である。
【００２１】
カメラ１のボディ１０の正面には、撮影レンズ１０１と、フラッシュ光を送り出すフラッシュ窓１０２と、画像を投影するプロジェクタユニット（プロジェクタ）２０の投影レンズ１０３とが設けられている。ボディ１０の上面にはレリーズボタン１０４が設けられている。なお、図示しないが、ボディ１０の背面には、ＬＣＤ表示器及びズームボタン、カメラ/プロジェクタ切替えボタン等の操作部材が設けられている。また、ボディ１０にはカメラ本体（図示せず）の電池（電源）４０、制御回路３０、プロジェクタユニット２０等が収容されている。プロジェクタユニット２０以外の部分がカメラ本体である。
【００２２】
制御回路３０は例えば１チップマイクロコンピュータ（以下マイコンという）である。制御回路３０は制御プログラムに基づいて撮影動作及び投影動作の制御を行う。なお、制御プログラムは例えば制御回路３０内の図示しない不揮発性メモリに格納されている。
【００２３】
また、制御回路３０はプロジェクタユニット２０による投影中に、投影レンズ１０３の正面が塞がれているか否かを判定する判定手段として機能する。
【００２４】
更に、制御回路３０は投影レンズ１０３の正面が塞がれていると判定したとき、光源２１を消灯させる消灯制御手段として機能する。
【００２５】
撮影レンズ１０１は制御回路３０から出力される撮影レンズ駆動信号に基づいて光軸方向へ進退駆動される。
【００２６】
また、撮影レンズ１０１は図示しない撮像素子（撮像手段）の撮像面上に被写体を結像させる。撮像素子は受光した光の強弱に応じた電気信号を出力する。その電気信号は被写体像の明度又はコントラストに応じた情報として制御回路３０へ送られる。
【００２７】
投影レンズ１０３は制御回路３０から出力される投影レンズ駆動信号に基づいて光軸方向へ進退駆動される。
【００２８】
撮影時に被写体を照らす光量が少ないと露光量が不足したり、手ブレが発生したりするので、フラッシュ窓１０２を介してフラッシュ光を被写体に照射する。
【００２９】
レリーズボタン１０４は、レリーズ操作を行なうための操作ボタンである。
【００３０】
プロジェクタユニット２０は、例えば高輝度の光を発光するＬＥＤを用いた光源２１と、制御回路３０からの制御信号に基づいて画像を表示する液晶パネル（図示せず）と、液晶パネルに表示された画像をスクリーン（図示せず）に拡大する投影レンズ１０３等とを備えている。光源２１は電源４０によって駆動される。
【００３１】
なお、撮影レンズ１０１の光軸と投影レンズ１０３の光軸とはほぼ平行であり、撮影方向と投影方向とが同方向である。投影レンズ１０３の正面又はその近傍が塞がれていないときには、プロジェクタユニット２０からスクリーンに投影された投影像が撮影範囲内に入るため、たとえばかばんの中のような暗い場所であっても被写体像の明度が高くなる。これに対し、投影レンズ１０３の正面又はその近傍が塞がれているときには、撮影範囲内に投影像が入らないため、被写体像の明度が低くなる。したがって、投影レンズ１０３の正面が塞がれていることを判定できる。
【００３２】
次に、図２はフローチャート及び図１に基づいてカメラ１の動作を説明する。
【００３３】
図２は光源点等時の電源４０をオフにするときのシーケンスを説明するフローチャートである。図２においてＳ１〜Ｓ１０は上記シーケンスの各ステップを示す。
【００３４】
まず、プロジェクタユニット２０の光源２１を点灯する（Ｓ１）。
【００３５】
次に、撮像素子の出力に基づいて被写体像の明度が規定値以下であるか否か（プロジェクタ部２０の投影中に投影レンズ１０３の正面が塞がれているか否か）を判定する（Ｓ２）。
【００３６】
被写体像の明度が規定値以下でないとき（ＮＯ）、プロジェクタユニット２０の投影中に投影レンズ１０３の正面が塞がれていないと判定し、所定時間（この実施形態では６０秒）間待機する（Ｓ３）。所定時間が経過した後、ステップＳ２へ戻り、再度被写体像の明度が規定値以下であるか否かを判定する。所定時間待機することによって所定のシーケンスを繰り返すことにより生じる消費電力の増加を抑制することができる。
【００３７】
被写体像の明度が規定値以下であるとき（ＹＥＳ）、プロジェクタユニット２０による投影中に投影レンズ１０３の正面が塞がれていると判定し、１秒間待機する（Ｓ４）。
【００３８】
その後、カウンタ（図示せず）に１を加算する（Ｓ５）。なお、カウンタのカウント数はシーケンス開始時に予め“０”にクリアされている。カウンタを用いることによって、一時的に投影レンズ１０３の正面が塞がれたような場合（例えば指で投影レンズ１０３の正面を塞いでしまったような場合）に、電池４０からの電力供給が停止することを防ぐことができる。
【００３９】
次に、カウンタによるカウント数が１０であるか否かを判定する（Ｓ６）。カウント数が所定の値（例えば１０）にならないとき（ＮＯ）、ステップＳ２〜Ｓ６の処理を繰り返す。
【００４０】
カウント数が所定の値に達したとき（ＹＥＳ）、電池４０からの電力供給が停止することを警告する（Ｓ７）。警告の方法としては、例えばスピーカ（図示せず）から警告音を発したり、ＬＥＤを点滅させたり、ＬＣＤ表示器に例えば「電池からの電力供給が停止されます」等の情報を表示させたりする方法や、それらの方法を適宜組み合わせた警告方法がある。なお、警告用のＬＥＤとしては、電池４０がオンであることを示すＬＥＤ、フラッシュ装置の充電を示すＬＥＤ、オートフォーカスの補助光としてのＬＥＤのいずれを用いてもよい。したがって、スピーカ、ＬＥＤ、ＬＣＤ表示器が請求項７の警告手段として機能する。
【００４１】
その後、電池４０からの電力供給の停止を回避する回避信号の入力があった（ＯＮ）か否かを判定する（Ｓ８）。回避信号は例えばユーザがボディ１０に設けられたスイッチ（図示せず）を押すことによって入力される。
【００４２】
回避信号がオンであるとき（ＹＥＳ）、ステップＳ３へ戻る。
【００４３】
回避信号がオンでないとき（ＮＯ）、プロジェクタユニット２０の光源２１を消灯する（Ｓ９）。
【００４４】
最後に、電池４０からの電力供給を停止（ＯＦＦ）する（Ｓ１０）。
【００４５】
この実施形態によれば、カメラ１の周りの明るさに応じてプロジェクタユニット２０の光源２１をオン・オフ制御するので、無駄な電力消費や発熱を防止することができる。また、光源２１を消灯した後、電池４０の電力供給も停止されるので、電力消費や発熱をより低減することができる。
【００４６】
なお、上記実施形態では光源２１を消灯させる前に警告を行ったが、消灯させる時又は消灯させた後に警告を行ってもよい。
【００４７】
また、電池４０の電力供給を停止するステップＳ１０の後に、音又は光による警告を再度行うようにしてもよい。
【００４８】
更に、上記実施形態では被写体像の明度に基づいて投影レンズ１０３の正面が塞がれたか否かを判定したが、被写体像のコントラストに基づいて判定してもよい。
【００４９】
図３はこの発明の第２実施形態に係るカメラ１の動作を説明するフローチャート、図５は視差と投影距離との関係を示す図である。図５（ａ）はカメラ１を正面、平面及び側面から見た図である。図５（ｂ）は撮影範囲と投影範囲との関係を示す図である。図３においてＳ２１〜Ｓ３０はプロジェクタユニット２０の光源点等時の電源４０をオフするときのシーケンスの各ステップを示す。
【００５０】
この実施形態は、撮像素子の出力から得られた撮影レンズ１０１と投影レンズ１０３との視差情報に基づいて投影レンズ１０３の正面が塞がれたか否かを判定するようにした（ステップ２２）点で、第１実施形態と相違する。なお、ステップ２２以外のステップ（Ｓ２１、Ｓ２３〜Ｓ３０）は第１実施形態のステップＳ２１、Ｓ２３〜Ｓ３０と同じであるのでその説明を省略する。
【００５１】
一般に、撮影画像の高さをＹ、撮影範囲内での撮影範囲の中心位置から投影範囲の中心位置までの距離をｙ、撮影レンズと投影レンズとの間の距離をｄ、撮影画角を２θ、投影面であるスクリーン（図示せず）までの距離をｌとしたとき、撮影レンズの光軸と投影レンズの光軸とが平行であるとき、数式１の関係が成り立つ。
【００５２】
【数１】
2010161518.tif 000003
【００５３】
次に、視差情報に基づいて投影レンズ１０３の正面が塞がれたか否かを判定できる理由を図５（ａ），（ｂ）を参照して説明する。
【００５４】
θ、ｄは既知の値であるから、スクリーンの位置Ａ，Ｂ，Ｃまでの距離ｌをｌA，ｌB，ｌCとしたとき、撮影範囲Ｒ１の中心に対する投影範囲Ｒ２の中心のズレ量ｙA，ｙB，ｙCは、以下の数式２〜数式４で知ることができる。
【００５５】
【数２】
2010161518.tif 000004
【数３】
2010161518.tif 000005
【数４】
2010161518.tif 000006
【００５６】
上記数式２〜４からズレ量ｙA，ｙB，ｙCが分かればスクリーンの位置までの距離ｌA，ｌB，ｌCを求められることがわかる。上記式２〜４によれば、ズレ量ｙA，ｙB，ｙCはカメラ１からスクリーンの位置までの距離ｌA，ｌB，ｌCに反比例し、カメラ１からスクリーンまでの距離ｌが短くなるにつれてズレ量ｙが大きくなることがわかる（図５（ｂ）参照）。
【００５７】
投影レンズ１０３の正面が塞がれる場合をスクリーンの位置までの距離ｌが所定値（例えば位置ｌD）以下のときと定義する。このときの撮影範囲Ｒ１と投影範囲Ｒ２との間のズレ量ｙをｙS（ｙS＞ｙA）とした場合、投影レンズ１０３の正面が塞がれるのはズレ量ｙがｙS以上になるときであることがわかる。すなわち、撮影範囲Ｒ１と投影範囲Ｒ２との間のズレ（視差）からプロジェクタユニット２０の正面が塞がれていることを判定できることがわかる。
【００５８】
図４はこの発明の第３実施形態に係るカメラ１の動作を説明するフローチャートである。図４においてＳ３１〜Ｓ３１はプロジェクタユニット２０光源点等時の電源４０をオフするときのシーケンスの各ステップを示し、第１実施形態と共通する部分はその説明を省略する。
【００５９】
この実施形態は、投影レンズ１０３と被写体（図示せず）との距離を検出するＡＦセンサ（オートフォーカス手段）（図示せず）で検出された検出結果（合焦位置までの距離情報）に基づいて投影レンズ１０３の正面が塞がれたか否かを判定するようにした点で、第１実施形態と相違する。
【００６０】
図４に示すように、まず、プロジェクタユニット２０の光源２１を点灯する（Ｓ３１）。
【００６１】
次に、カメラ１のＡＦ機能を使用できるか否かを判定する（Ｓ３２）。カメラ１のＡＦ機能を使用できないとき（ＮＯ）、ステップ３４へ進む。
【００６２】
カメラ１のＡＦ機能を使用できるとき（ＹＥＳ）、ＡＦ焦点範囲が規定値以下であるか否かを判定する（Ｓ３３）。
【００６３】
ＡＦ焦点範囲が規定値以下でないとき（ＮＯ）、プロジェクタユニット２０による投影中に投影レンズ１０３の正面が塞がれていないと判定し、所定時間（この実施形態では６０秒）間待機する（Ｓ３５）。所定時間が経過した後、ステップＳ２へ戻り、ＡＦ焦点範囲が規定値以下であるか否かを再度判定する。
【００６４】
ＡＦ焦点範囲が規定値以下であるとき（ＹＥＳ）、プロジェクタユニット２０による投影中に投影レンズ１０３の正面が塞がれていると判定し、１秒間待機する（Ｓ３４）。
【００６５】
その後のステップ３６〜４１で第１実施形態のステップ５〜１０と同じ処理を行う。
【００６６】
なお、ステップ３２，３３，３４，３６，３７の処理をステップ３９の前又は後で行うようにしてもよい。
【００６７】
この実施形態によれば、第１実施形態と同様の効果を奏する。
【００６８】
なお、被写体像の明度又はコントラストに応じた情報、撮影レンズ１０１と投影レンズ１０３との視差情報及びＡＦセンサの検出結果を組み合わせて、投影レンズ１０３の正面が塞がれていることを判定するようにしてもよい。
【符号の説明】
【００６９】
１：カメラ、２１：光源、１０１：撮影レンズ１０１，１０３：投影レンズ、２０：プロジェクタユニット（プロジェクタ）、４０：電池（電源）、３０：制御回路。
【図１】
2010161518.tif 000007
【図２】
2010161518.tif 000008
【図３】
2010161518.tif 000009
【図４】
2010161518.tif 000010
【図５】
2010161518.tif 000011